(57)【要約】【課題】特別図柄表示装置の大型化に対応したパチンコ機を提供する。【解決手段】遊技盤の遊技領域１には遊技球を振り分ける、遊技球振り分け部材２５ａ、２５ｂ、２６ａ、２６ｂ、４ａ、４ｂが特別図柄表示装置２の側部に設けられている。特別図柄表示装置２の下方に下り傾斜状に、かつ特別図柄始動口に遊技球を誘導する方向に配列された第１の遊技釘群１８ａ、１８ｂと第２の遊技釘群７ａ、７ｂとが設けられ、その途中には、隙間Ｓ１、Ｓ２及び隙間Ｓ３、Ｓ４が各々、設けられている。遊技球は、前記遊技球振り分け部材によって流路が変更され、その一部は、前記第１の遊技釘群又は第２の遊技釘群に誘導される。そして誘導された前記遊技球は、第１の遊技釘群又は第２の遊技釘群に設けられた前記隙間によって更に変化する。【選択図】図１
2011104401.tif 000002
【特許請求の範囲】
【請求項１】
少なくとも特別図柄表示装置と、特別図柄始動口と、傾斜状に配列された遊技釘群とが設けられた遊技盤を有するパチンコ機において、
前記傾斜状に配列された遊技釘群は、
前記特別図柄表示装置の下方にあって、前記遊技盤の中央にかけて下り傾斜状に、かつ、前記特別図柄始動口に遊技球を誘導する方向に配列され、その途中に遊技球を落下させる複数の隙間が設けられた第１の遊技釘群と、
前記第１の遊技釘群の上方にあって、前記遊技盤の中央にかけて下り傾斜状に、かつ、前記特別図柄始動口に遊技球を誘導する方向に配列され、その途中に遊技球を落下させる複数の隙間が設けられた第２の遊技釘群とからなり、
前記特別図柄表示装置の側部には、前記第１の遊技釘群が形成する第１流路と第２の遊技釘群が形成する第２流路とに遊技球を振り分ける、遊技球振り分け部材が設けられていることを特徴とするパチンコ機。
【発明の詳細な説明】
【技術分野】
【０００１】
本発明は、パチンコ機に関し、特に、遊技球の流下方向の変化を生ぜしめるために遊技球を振り分ける遊技球振り分け部材と、前記遊技球振り分け部材によって変化させられた遊技球を入賞口に誘導する遊技釘群とを具備したパチンコ機に関する。
【背景技術】
【０００２】
図３に示すように従来のパチンコ機では、遊技盤の遊技領域１には、例えば液晶表示装置を用いた特別図柄表示装置２、遊技釘３、傾斜状に配列された遊技釘群８ａ、８ｂ、風車１４ａ、１４ｂ、近接スイッチが設けられた普通図柄作動ゲート１０ａ、１０ｂ、始動入賞口１１、普通電動役物１２、大入賞口１３、例えば発光ダイオードや７セグメント式の表示手段により構成された普通図柄表示装置１７ａ、１７ｂが設けられている。又、普通図柄作動ゲート１０ａ、１０ｂの後面には、普通図柄作動ゲート１０ａ、１０ｂを遊技盤に取り付けるためのベース板９ａ、９ｂが設けられている。
遊技に際しては、前記普通図柄作動ゲート１０ａ、１０ｂが遊技球を検出すると前記普通図柄表示装置１７ａ、１７ｂの普通図柄が所定時間変動し、その普通図柄の停止図柄が所定の当たり図柄のときに前記普通電動役物１２（始動入賞口１１）が開放する。この始動入賞口１１が遊技球を検出すると前記特別図柄表示装置２の特別図柄が所定時間変動し、その特別図柄が所定の大当たり図柄のときに大入賞口１３を所定回数開閉させる等、遊技者に有利な利益状態を発生させるようになっている（近似する先行技術文献として特許文献１がある）。
【先行技術文献】
【特許文献】
【０００３】
【特許文献１】特開平０９−１８２８３４号公報
【発明の概要】
【発明が解決しようとする課題】
【０００４】
前記パチンコ機では、以下のような問題点があった。即ち、前記同じ流路を多数の遊技球が通過しても遊技球の変化は、ほぼ同一になり、遊技の楽しみは増加しない。遊技球の変化を多岐にして、遊技に変化をもたらせるためには、遊技球の通過しそうな流路に多数の遊技釘を用いることによって実現可能になる。一方、近年のパチンコ機では遊技が複雑になるにつれて特別図柄表示装置２が大型になっていて、例えば５〜１０インチの液晶ディスプレイが用いられているパチンコ機が一般的となっている。図３に示すように、限られた遊技盤の遊技領域１内では、特別図柄表示装置２が大型になるほど特別図柄表示装置２の下方の遊技盤領域が狭くなる。このために、特別図柄表示装置２の下方の領域１５、１６が少なくなり、前記始動入賞口１１や大入賞口１３及びその周囲の遊技釘と遊技部品の配置は制限されることになる。即ち、遊技球の流下方向を変更させるポイントを特別図柄表示装置２の下方に設けることが困難となる。
又、図３から明らかなように、前記傾斜状に配列された遊技釘群８ａ、８ｂの下部の領域１５は、ベース板９ａ、９ｂが水平に配置されているため傾斜状に配列された遊技釘群８ａ、８ｂとの間で一定の角度を有し、余分な領域となっている。この領域は、遊技球が通過することのない不要な領域ともなり、又、遊技盤領域を狭くすることにもなる。同様にして、ベース板９ａが水平に配置されているために、必然的にベース板９ａ、９ｂの下部の領域１６やその周囲の領域が狭くなってしまっている。
【０００５】
以上の如く、従来のパチンコ機においては、係る無駄な領域を極力少なくすることが望まれている。又、ベース板９ａ、９ｂの下にある大入賞口１３とベース板９ａ、９ｂの下部の領域１６を広くして、有効に遊技領域として使用することが望まれている。このように、近年の大型化された特別図柄表示装置を有するパチンコ機では、遊技領域１、特に多数の部品が配置されることになる特別図柄表示装置より下方の遊技領域を、いかに広く、有効に使用するかが課題となっていて、遊技球の変化を多岐にわたらせて、遊技に変化をもたらせるために、遊技球の通過しそうな流路に多数の遊技釘を用いることは、実際には困難である。
【０００６】
本発明は、係る問題を解決して特別図柄表示装置の大型化に対応したパチンコ機を提供するものである。即ち、遊技盤の下方だけに、遊技に変化をもたらせるための遊技釘を多数設けることなく、多岐に亘る遊技球の変化を生じさせる、遊技球振り分け部材を具備したパチンコ機を提供することを目的としてなされたものである。
【課題を解決するための手段】
【０００７】
本発明は、上記目的を達成するために請求項１記載のパチンコ機では、少なくとも特別図柄表示装置と、特別図柄始動口と、傾斜状に配列された遊技釘群とが設けられた遊技盤を有するパチンコ機において、前記傾斜状に配列された遊技釘群は、前記特別図柄表示装置の下方にあって、前記遊技盤の中央にかけて下り傾斜状に、かつ、前記特別図柄始動口に遊技球を誘導する方向に配列され、その途中に遊技球を落下させる複数の隙間が設けられた第１の遊技釘群と、前記第１の遊技釘群の上方にあって、前記遊技盤の中央にかけて下り傾斜状に、かつ、前記特別図柄始動口に遊技球を誘導する方向に配列され、その途中に遊技球を落下させる複数の隙間が設けられた第２の遊技釘群とからなり、前記特別図柄表示装置の側部には、前記第１の遊技釘群が形成する第１流路と第２の遊技釘群が形成する第２流路とに遊技球を振り分ける、遊技球振り分け部材が設けられていることを特徴とする。
【発明の効果】
【０００８】
請求項１記載のパチンコ機によれば、遊技球を振り分ける、遊技球振り分け部材及び遊技釘群とを設けることにより、特別図柄表示装置の側部の領域を有効に活用し、遊技球の変化を多岐にわたらせて、遊技に変化を生じさせることができた。また、前記遊技釘群に隙間を設けることにより、更に遊技球の変化を生じさせることができた。
【図面の簡単な説明】
【０００９】
【図１】本発明の実施の形態における遊技盤の構成図を示す図である。
【図２】本発明の実施の形態における遊技盤上の遊技球振り分け部材と傾斜状に配列された遊技釘群と特別図柄表示装置及び始動入賞口周辺の一部拡大図である。
【図３】従来のパチンコ機における遊技盤の構成図である。
【発明を実施するための形態】
【００１０】
図１は、本発明の実施の形態における遊技盤の構成図を示す図である。図１において、図３と同一部分については同じ符号を付してその説明を省略する。遊技盤の遊技領域１には遊技球を振り分ける、遊技球振り分け部材２５ａ、２５ｂ、２６ａ、２６ｂ、４ａ、４ｂが特別図柄表示装置２の側部に設けられている。図１においては、遊技球振り分け部材２５ａ、２５ｂ、２６ａ、２６ｂは、遊技釘であり、遊技球振り分け部材４ａ、４ｂは、風車であるが、これ以外のもの、又は配置であってもよい。例えば、遊技球振り分け部材を全て遊技釘としたり、遊技球振り分け部材としての風車と遊技釘の位置を交換するようにしてもよい。普通図柄作動ゲート１０ａ、１０ｂの後面には、該普通図柄作動ゲート１０ａ、１０ｂを遊技盤に取り付けるためのベース板１９ａ、１９ｂが、後述するように設けられている。
【００１１】
前記普通図柄作動ゲート１０ａ、１０ｂは、遊技球の落下方向に設けられている。前記普通図柄作動ゲート１０ａ、１０ｂの上部には、特別図柄表示装置２の下方にあって遊技盤の中央にかけて下り傾斜状に配列された第１の遊技釘群１８ａ、１８ｂと第２の遊技釘群７ａ、７ｂとが設けられている。前記第２の遊技釘群７ａ、７ｂの上部には、第２流路５ａ、５ｂが形成されていて、遊技球を主に普通電動役物１２（始動入賞口１１）に誘導するようになっている。又、第１の遊技釘群１８ａ、１８ｂと第２の遊技釘群７ａ、７ｂとの間には、第１流路６ａ、６ｂが形成されていて、遊技球を主に普通電動役物１２（始動入賞口１１）や普通図柄作動ゲート１０ａ、１０ｂに誘導するようになっている。
【００１２】
前記傾斜状に配列された第１の遊技釘群１８ａ、１８ｂと第２の遊技釘群７ａ、７ｂの途中には、遊技球を落下させる隙間が設けられている。即ち、第２の遊技釘群７ａ、７ｂの途中には、主に前記第１の遊技釘群１８ａ、１８ｂに遊技球を誘導する隙間Ｓ１、Ｓ２が設けられている。係る隙間の数は、これ以外の数であってもよい。
【００１３】
又、第１の遊技釘群１８ａ、１８ｂの途中には、主に普通図柄作動ゲート１０ａ、１０ｂに遊技球を落下させる隙間Ｓ４が設けられている。係る普通図柄作動ゲート及び隙間の数は、これ以外の数であってもよい。そして、前記隙間Ｓ４の直下には普通図柄作動ゲート１０ａ、１０ｂが遊技球の落下方向に設けられている。前記隙間は、直下に普通図柄作動ゲート１０ａ、１０ｂが設けられていない図１に示す隙間Ｓ３を設けてもよい。前記ベース板１９ａ、１９ｂは、前記傾斜状に配列された第１の遊技釘群１８ａ、１８ｂと第２の遊技釘群７ａ、７ｂに沿うように形成されている。
【００１４】
図２は、本発明の実施の形態における特別図柄表示装置２の左側と前記傾斜状に配列された第１の遊技釘群１８ａ（◎印で図示してある）、第２の遊技釘群７ａ（●印で図示してある）及び始動入賞口１１周辺の一部拡大図である。図２においては、遊技領域の左半分の一部拡大図のみを示したが、右半分の一部拡大図も同様であり、その機能は左半分に述べるものと同様にして実現できるので、右半分についての説明を省略する。
【００１５】
図２に示すように、遊技盤の遊技領域１には遊技球を振り分ける遊技球振り分け部材２５ａ、２６ａ、４ａが、特別図柄表示装置２の左側部に設けられている。前記遊技球振り分け部材２５ａは、流路Ａに落下した遊技球が流路Ａ１又はＡ２のいずれかに振り分けられる位置に設けられている。又、前記遊技球振り分け部材２６ａは、流路Ｂに落下した遊技球が流路Ｂ１又はＢ２のいずれかに振り分けられる位置に設けられている。更に、前記遊技球振り分け部材４ａは、流路Ｃに落下した遊技球が流路Ｃ１又はＣ２のいずれかに振り分けられる位置に設けられている。なお、前記遊技球振り分け部材２５ａ、２６ａ、４ａについて、図２では●印で図示してある。
【００１６】
前記した遊技球振り分け部材の作用について以下に説明する。遊技球振り分け部材２５ａが設けられている流路Ａに落下した遊技球は、流路Ａ１又はＡ２のいずれかに振り分けられる位置に設けられているので、Ａ１又はＡ２のいずれか一方の流路に振り分けられて流路が変更される。
【００１７】
同様にして、遊技球振り分け部材２６ａが設けられている流路Ｂに落下した遊技球は、流路Ｂ１又はＢ２のいずれかに振り分けられる位置に設けられているので、Ｂ１又はＢ２のいずれか一方の流路に振り分けられて流路が変更される。更に、遊技球振り分け部材４ａが設けられている流路Ｃに落下した遊技球は、流路Ｃ１又はＣ２のいずれかに振り分けられる位置に設けられているので、Ｃ１又はＣ２のいずれか一方の流路に振り分けられて流路が変更される。
【００１８】
又、特別図柄表示装置２の左下方には、遊技盤の中央にかけて下り傾斜状に配列されている第１の遊技釘群１８ａが設けられている。第１の遊技釘群１８ａの上方には、遊技盤の中央にかけて下り傾斜状に配列された第２の遊技釘群７ａが設けられている。該第２の遊技釘群７ａの上部には、第２流路５ａが形成されていて、遊技球を主に普通電動役物１２即ち始動入賞口１１に誘導するようになっている。又、第１の遊技釘群１８ａと第２の遊技釘群７ａとの間には、第１流路６ａが形成されていて、遊技球を主に普通電動役物１２に誘導するようになっている。
【００１９】
前記したように、遊技球は、前記遊技球振り分け部材２５ａ、２６ａ及び４ａによって複雑に流路が変更される。係る遊技球振り分け部材２５ａ、２６ａ及び４ａによって流路を変更された遊技球の一部は、前記第１の遊技釘群１８ａ又は第２の遊技釘群７ａに誘導される。そして誘導された前記遊技球は、後述する第１の遊技釘群１８ａ又は第２の遊技釘群７ａに設けられた隙間によって更に複雑に変化する。
【００２０】
即ち、前記傾斜状に配列された第１の遊技釘群１８ａと第２の遊技釘群７ａの途中には、遊技球を落下させる隙間が設けられている。即ち、第２の遊技釘群７ａの途中には、主に前記第１の遊技釘群１８ａに遊技球を誘導する隙間Ｓ１、Ｓ２が設けられている。係る隙間の数は、これ以外の数であってもよい。又、第１の遊技釘群１８ａの途中には、主に普通図柄作動ゲート１０ａに遊技球を落下させる隙間Ｓ４が設けられている。係る普通図柄作動ゲート及び隙間の数は、これ以外の数であってもよい。そして、前記隙間Ｓ４の直下には普通図柄作動ゲート１０ａが遊技球の落下方向に設けられている。前記隙間は、直下に普通図柄作動ゲート１０ａが設けられていない、図２に示す隙間Ｓ３を設けてもよい。
【００２１】
前記したように、前記遊技球振り分け部材２５ａ、２６ａ及び４ａによって変更された遊技球は、更に第１の遊技釘群１８ａ及び第２の遊技釘群７ａにより下記のように流路が変更される。即ち、第１の遊技釘群１８ａによる第１流下路６ａと第２の遊技釘群７ａによる第２流下路５ａとが形成される。前記第２流下路５ａを流下する遊技球でも、前記隙間Ｓ１、Ｓ２を通り第１流下路６ａ方向に流路が変更される可能性がある。このために第２流下路５ａを流下する遊技球全てが始動入賞口１１方向に誘導されるのを回避できる。又、始動入賞口１１方向に誘導されずに第１流下路６ａ方向に流路が変更された遊技球は、普通図柄作動ゲート１０ａを通過する可能性が残る。
【００２２】
遊技球が通過する普通図柄作動ゲート１０ａは、図２に示すように、遊技盤に水平な軸Ｘとほぼ平行に設けられている。又、普通図柄作動ゲート１０ａが備えられていて、前記普通図柄作動ゲート１０ａを遊技盤に取り付けるための、普通図柄作動ゲートより大きいベース板１９ａは、例えば、ほぼ楕円形である。その長軸は前記遊技盤の中央にかけて下り傾斜状に配列されている前記第１の遊技釘群１８ａとほぼ平行に設けられている。即ち、普通図柄作動ゲート１０ａは、第１の遊技釘群１８ａと第２の遊技釘群７ａ及びベース板１９ａと角度Φ２をなして設けられている。
【００２３】
ここで、発明の理解を容易ならしめるために、ベース板１９ａは、例えば、ほぼ楕円形とした。そして、その長軸が第１の遊技釘群１８ａとほぼ平行に設けられていると説明したが、ベース板１９ａの形状はこれ以外の形状、例えば長方形、正方形であってもよい。横長の長方形の場合には、前記普通図柄作動ゲート１０ａが備えられたベース板１９ａが前記傾斜状に配列された第１の遊技釘群１８ａに沿って設けられているように配置する。更には、普通図柄作動ゲート１０ａを通過した遊技球を誘導する通路と一体となったベース板を採用してもよい。
【００２４】
前記ベース板１９ａが前記傾斜状に配列された第１の遊技釘群１８ａに沿うように形成することにより、第１の遊技釘群１８ａとベース板１９ａとの間の、遊技球が通過することのない不要な領域２０を狭くすることが可能になる。又、ベース板１９ａとこれによって更に前記ベース板１９ａと大入賞口１３との間の領域２１とその周囲の領域は大きくなり、これら領域に配置される大入賞口等の遊技部品における配置設計の自由度が増す。ここに図示していない遊技釘や役物又は表示手段を新たに設けるようにしてもよい。
【００２５】
遊技に際して、遊技球は、前記遊技球振り分け部材２５ａ、２６ａ、４ａによって流路が変更される。係る遊技球振り分け部材２５ａ、２６ａ、４ａによって流路を変更された遊技球の一部は、主に前記第１の遊技釘群１８ａ又は第２の遊技釘群７ａに誘導される。そして、第２流路５ａを通る遊技球の一部は、始動入賞口１１方向に誘導されて始動入賞口１１に入る。又、第２流路５ａを通る遊技球の一部は、前記第２の遊技釘群７ａの途中に設けられた隙間Ｓ１、Ｓ２を通り主に第１流路６ａに誘導される。該第１流路６ａに誘導された遊技球の一部は、普通電動役物１２方向に誘導され、普通電動役物１２が開放されている時に普通電動役物１２に入る。
【００２６】
又、前記第１流路６ａを通る遊技球の一部は、前記第１の遊技釘群１８ａの途中に設けられた隙間Ｓ４を通る。該隙間Ｓ４の直下には、ベース板１９ａに設けられた普通図柄作動ゲート１０ａが遊技球の落下方向に設けられ、遊技盤に取り付けられている。そして、前記隙間Ｓ４を通った遊技球は、主に前記普通図柄作動ゲート１０ａを通過する。
【００２７】
前記普通図柄作動ゲート１０ａが遊技球を検出すると、前記図１に図示した普通図柄表示装置１７ａの普通図柄が所定時間変動する。前記普通図柄の停止図柄が所定の当たり図柄のときに前記普通電動役物１２（始動入賞口１１）が開放する。前記第２流路５ａを通る遊技球の一部、又は、他の流路からの遊技球がこの始動入賞口１１に入賞して始動入賞口１１の入賞が検出されると、前記特別図柄表示装置２の特別図柄が所定時間変動する。前記特別図柄が所定の大当たり図柄のときに大入賞口１３を所定回数開閉させる。
【符号の説明】
【００２８】
１ 遊技領域
２ 特別図柄表示装置
３ 遊技釘
４ａ、４ｂ、２５ａ、２５ｂ、２６ａ、２６ｂ 遊技球振り分け部材
７ａ、７ｂ、８ａ、８ｂ、１８ａ、１８ｂ 遊技釘群
９ａ、９ｂ、１９ａ、１９ｂ ベース板
１０ａ、１０ｂ 普通図柄作動ゲート
１１ 始動入賞口
１２ 普通電動役物
１３ 大入賞口
１４ａ、１４ｂ 風車
１７ａ、１７ｂ 普通図柄表示装置
【図１】
2011104401.tif 000003
【図２】
2011104401.tif 000004
【図３】
2011104401.tif 000005